(57)【要約】【課題】組み立て枠組みを容易なものとし、さらに縦枠端部の気水密性を併せて図る。【解決手段】上下横枠材と左右縦枠材とをビス止めにより枠組みしたサッシにおいて、左右縦枠材４は端に開口する中空部を有し、上枠材１は横断面において本体壁１Ａから下方に延びる内側部を有し、上枠材１の両端部において本体壁１Ａを残して下方の内側部をそれぞれ切除し、この切除部に各縦枠材４の上端部を当接し、縦枠材４の中空部を上枠材１の本体壁１Ａで覆う状態で、縦枠材４の上端部の内方部分と上枠材１の内側部の未切除部とをビス５止めして枠組みしたものである。【選択図】図６
2005016097.tif 000002
【特許請求の範囲】
【請求項１】
上下横枠材と左右縦枠材とをビス止めにより枠組みしたサッシにおいて、
前記左右縦枠材は端に開口する中空部を有し、上枠材は横断面において本体壁から下方に延びる内側部を有し、
前記上枠材の両端部において前記本体壁を残して下方の内側部をそれぞれ切除し、この切除部に各縦枠材の上端部を当接し、縦枠材の中空部を前記上枠材の本体壁で覆う状態で、縦枠材の上端部の内方部分と前記内側部の未切除部とをビス止めして枠組みしたことを特徴とするサッシの枠組み構造。
【請求項２】
上下横枠材及び左右縦枠材は実質的に同一の横断面を有し、上枠材にも端に開口する中空部が形成されている請求項１記載のサッシの枠組み構造。
【請求項３】
縦枠材の上端部の内方部分と上枠材の内側部の未切除部との間にシール手段を介在させた請求項１または２記載のサッシの枠組み構造。
【請求項４】
縦枠材の中空部端と上枠材の本体壁との間に封止材と介在させた請求項１〜３のいずれか１項に記載のサッシの枠組み構造。
【請求項５】
封止材が圧縮可能な材料からなり、縦枠材の上端部の内方部分から上枠材の内側部の未切除部へとビスを打ち込むときに、封止材の圧縮代を見込んで、前記上枠材の内側部の未切除部へのビスの打ち込む位置を決めて、ビスを打ち込み、ビスの止め付け状態で、縦枠材の中空部端を前記上枠材の本体壁側に押圧させ封止材を圧縮させて封止の強化を図っている請求項４記載のサッシの枠組み構造。
【請求項６】
上下横枠材及び左右縦枠材は同一の型材からなり、枠組み用ビスホールが通しで形成されている請求項１または５記載のサッシの枠組み構造。
【発明の詳細な説明】
【０００１】
【発明の属する技術分野】
本発明は、店舗やビル外壁などのサッシの枠組み構造に関する。特に、半外付け（一部が外壁面より突出する）の鉄骨枠に取り付ける嵌め殺しサッシに関する。
【０００２】
【従来の技術】
この種のサッシの枠組み構造としては、特許第３１８５８２６号（特許文献１）に示されたものがある。
これは、上枠と左右の縦枠の横断面は同形に形成され、上枠と下枠の各々の両端面が左右の縦枠に当接して結合され、縦枠の中空部の端部開口を遮蔽するキャップが縦枠の上部及び下部に取付けられたものである。
【特許文献１】
特許第３１８５８２６号公報
【０００３】
【発明が解決しようとする課題】
しかし、この枠組み構造は、横枠と縦枠とを単にそのまま突き合わせてビス固定するので、ビス固定の位置が確認し難く、また、結合（連結）に際しで２ヶ所ビス固定しなければならず、枠組み作業に多大な手間がかかる。
【０００４】
さらに、縦枠上端部及び下端部にその中空部の開口が露出するので、端部開口を遮蔽するコーナーキャップを取付けて気水密性を図るものであり、その分、部品点数が多くなり、かつ組み立てに手間がかかる。また、コーナーキャップは嵌合によるもので必ずしも気水密性が万全ではない。
【０００５】
しかも、店舗用の場合、デザインの関係で見込み寸法が小さいことが望ましいが、従来例では、この点に関しての配慮がなされていない。
【０００６】
したがって、本発明の主たる課題は、組み立て枠組みを容易なものとし、さらに縦枠端部の気水密性を併せて図ることにある。
【０００７】
他の課題は、デザインの要求から見込み寸法を小さくしながらデザイン性を高め、ビス固定が１箇所で十分な枠組み構造とすることにある。
【０００８】
【課題を解決するための手段】
上記課題を解決した本発明は次記のとおりである。
＜請求項１項記載の発明＞
上下横枠材と左右縦枠材とをビス止めにより枠組みしたサッシにおいて、
前記左右縦枠材は端に開口する中空部を有し、上枠材は横断面において本体壁から下方に延びる内側部を有し、
前記上枠材の両端部において前記本体壁を残して下方の内側部をそれぞれ切除し、この切除部に各縦枠材の上端部を当接し、縦枠材の中空部を前記上枠材の本体壁で覆う状態で、縦枠材の上端部の内方部分と前記内側部の未切除部とをビス止めして枠組みしたことを特徴とするサッシの枠組み構造。
【０００９】
＜作用効果＞
本発明では、先行特許文献１のように上枠と下枠の各々の両端面が左右の縦枠に当接して枠組みするのではなく、上枠材の両端部において本体壁を残して下方の内側部をそれぞれ切除し、この切除部に各縦枠材の上端部を当接し、縦枠材の中空部を上枠材の本体壁で覆う状態で枠組みしたものである。
したがって、縦枠材の中空部は上枠材の本体壁で覆われるので、ここで基本的に気水密性は確保され、コーナーキャップは不要となり、部品点数を削減でき経済的である。
【００１０】
さらに、連結・結合部は、縦枠材の上端部の内方部分が、上枠材の本体壁と内側部の未切除部の端面との２面に当接する状態でビス止めして枠組みしたので、枠組みの位置決めは容易であり、見込み方向の１箇所でのビス止めで安定した枠組みが可能であり、枠組み後の変形に関し、縦枠材の中空部を上枠材の本体壁で覆うので、耐変形性が十分である。１本のビス固定で足りることは、特に、ビスの位置決めに手間を要する観点から大幅な手数の削減となる。
【００１１】
特にサッシを店舗用とする場合に、デザインに優れることは重要であるところ、見込み方向に関し１本のビス固定で十分であることは、枠材の見込み寸法を小さくでき、結果としてデザインに優れたものとなる。
【００１２】
＜請求項２項記載の発明＞
上下横枠材及び左右縦枠材は実質的に同一の横断面を有し、上枠材にも端に開口する中空部が形成されている請求項１記載のサッシの枠組み構造。
【００１３】
＜作用効果＞
中空部は枠材の強度を高める。
【００１４】
＜請求項３項記載の発明＞
縦枠材の上端部の内方部分と上枠材の内側部の未切除部との間にシール手段を介在させた請求項１または２記載のサッシの枠組み構造。
【００１５】
＜作用効果＞
請求項１記載の発明において、本体壁を残して下方の内側部をそれぞれ切除し、この「切除部に各縦枠材の上端部を当接し」における「当接」とは、直接接触する場合のほか、「シール手段」あるいは「封止材」を介して当接する場合も含むものである。そして、シール手段を介在させることでより気水密性を高めることができる。なお、先行特許文献１においては、上枠及び下枠の各々の両端面と左右の縦枠との当接面における気水密に関して考慮がない。
【００１６】
＜請求項４項記載の発明＞
縦枠材の中空部端と上枠材の本体壁との間に封止材と介在させた請求項１〜３のいずれか１項に記載のサッシの枠組み構造。
【００１７】
＜作用効果＞
封止材を介在させることでより気水密性を高めることができる。
【００１８】
＜請求項５項記載の発明＞
封止材が圧縮可能な材料からなり、縦枠材の上端部の内方部分から上枠材の内側部の未切除部へとビスを打ち込むときに、封止材の圧縮代を見込んで、前記上枠材の内側部の未切除部へのビスの打ち込む位置を決めて、ビスを打ち込み、ビスの止め付け状態で、縦枠材の中空部端を前記上枠材の本体壁側に押圧させ封止材を圧縮させて封止の強化を図っている請求項４記載のサッシの枠組み構造。
【００１９】
＜作用効果＞
ビス止め枠組み時において、縦枠材の中空部端を上枠材の本体壁側に押圧させ封止材を圧縮させると、封止（たとえば気水密）の強化を図ることができる。
【００２０】
＜請求項６項記載の発明＞
上下横枠材及び左右縦枠材は実質的に同一の型材からなり、枠組み用ビスホールが通しで形成されている請求項１または５記載のサッシの枠組み構造。
【００２１】
＜作用効果＞
上下横枠材及び左右縦枠材は同一の型材からなり、枠組み用ビスホールが通しで形成されていると、縦枠材の上端部の内方部分における、その縦枠材のビスホールを打ち込み開始点として、上枠材のビスホールにビス打ち込むので、常に、上枠材と縦枠材との内外方向の位置を正規な位置として設定でき、正確な枠組み可能となる。また、金型材の削減ともなる。
【００２２】
【発明の実施の形態】
以下本発明の実施の形態を図面を参照しながらさらに詳説する。
本発明のサッシは、上下横枠材１、２と左右縦枠材３、４とをビス５止めにより枠組みしたものである。
【００２３】
実施の形態での上横枠材１及び左右縦枠材３、４は、同一型材（横断面同一）からなるものである。下横枠材２については、ガラスの嵌め込みのために押縁を使用する関係で、横断面形状が異なる。
【００２４】
上下横枠材１、２及び左右縦枠材３、４は、本体壁１Ａ，２Ａ，３Ａ，４Ａ、及びこれらの見込み方向中間から外方に張出す固定片１Ｂ，２Ｂ，３Ｂ，４Ｂを有する。さらに、それぞれ室内側には中空部１Ｈ，２Ｈ，３Ｈ，４Ｈが構成されている。すなわち、本体壁１Ａ，２Ａ，３Ａ，４Ａから、内方に張出す中央片１ａ，２ａ，３ａ，４ａ、及び室内片１ｂ，２ｂ，３ｂ，４ｂ、並びにこれらを繋ぐ繋ぎ片１ｃ，２ｃ，３ｃ，４ｃにより、両端開口の中空部１Ｈ，２Ｈ，３Ｈ，４Ｈが構成されている。
【００２５】
後述の形態で枠組みされたサッシは、たとえば、鉄骨などからなる躯体６Ａ，６Ｂに、固定片１Ｂ，２Ｂ，３Ｂ，４Ｂを通して上下横枠材１、２及び左右縦枠材３、４がネジ７などにより固定されている。
【００２６】
本体壁１Ａ，２Ａ，３Ａ，４Ａの室内側には、内方に張出す室外片１ｄ，２ｄ，３ｄ，４ｄが形成されている。室外片１ｄ，３ｄ，４ｄは、中央片１ａ，３ａ，４ａと離間しており、ガラス８などの面材の呑み込み溝とされている。これに対し、室外片２ｄは、押縁９の係止部分とされ、押縁９が中央片２ａとの間でガラス８の下部を保持している。１０、１１はガラス８の支持用ガスケットである。１２はセッティングブロックである。
【００２７】
上下横枠材１、２及び左右縦枠材３、４の見込み方向の室外側寄りにおいて、外壁１３が形成され、室内においてはブラケット１４により内装材１５が取り付けられている。
【００２８】
次に、枠組み形態及び方法について説明する。
本実施の形態では、上枠材１について、本体壁１Ａに対する内側部としては、中央片１ａ、室内片１ｂ、繋ぎ片１ｃ及び室外片１ｄである。
【００２９】
まず、枠組み前において、上枠材１の両端部において本体壁１Ａを残して下方の内側部、すなわち中央片１ａ、室内片１ｂ、繋ぎ片１ｃ及び室外片１ｄをそれぞれ切除する。この切除状態を図４及び図５に示してある。切除は、左右縦枠材３、４の見込み寸法と同一の見付け寸法で横方向に、かつ本体壁１Ａの肉厚分を残して行うのが望ましい。
【００３０】
次いで、この切除部に各縦枠材３、４の上端部を当接し、縦枠材３、４の中空部３Ｈ，４Ｈを上枠材１の本体壁１Ａで覆う状態で、縦枠材３、４の上端部の内方部分、実施の形態では繋ぎ片３ｃ，４ｃと、上枠材１の内側部の未切除部１Ｚ（図４参照）に当接する状態で、実施の形態では繋ぎ片１ｃに形成されたビスホールＸとをビス５止めする（具体的にはタップネジによりタップを立てながらねじ込む）。
【００３１】
この場合、上枠材１と右縦枠材４との関係で説明すると、図５及び図６に示すように、右縦枠材４の上端部の内方部分（繋ぎ片４ｃ）と、上枠材１の内側部の未切除部Ｚ、具体的には中空部１Ｈを塞ぐように、中央片１ａ、室内片１ｂ、繋ぎ片１ｃとの間にシール手段２０、たとえばシーラーを介在させるのが望ましい。シール手段はゴムなどの可撓性材料でもよい。
【００３２】
さらに、縦枠材４の中空部端、実施の形態では中央片４ａ、室内片４ｂ、繋ぎ片４ｃと上枠材１の本体壁１Ａとの間に封止材２１を介在させるのが望ましい。
【００３３】
封止材２１としては、ゴムや不連続プラスチック発泡体などの弾性をもって圧縮可能な材料が望ましい。その際に、図６に示すように、縦枠材４の上端部に形成したビス挿入ホール４ｈを通したビス５を、上枠材１の内側部の未切除部Ｚへと打ち込むときに、封止材２１の圧縮代を見込んで、上枠材１の内側部の未切除部へのビス５の打ち込む位置を決めて、ビス５を打ち込み、ビス５の止め付け状態で、縦枠材４の中空部端を上枠材１の本体壁１Ａ側に押圧させ封止材２１を圧縮させて封止の強化を図るのが望ましい。
【００３４】
より具体的には、上枠材１の本体壁１ＡとビスホールＸ中心との離間距離に対し、｛（封止材２１の圧縮代）＋（縦枠材４の上端とビス５の打ち込み位置との離間距離）｝が一致するように、ビス５の打ち込み位置を設定すれば、ビス５の打ち込み過程で、図６のように、縦枠材４が上方に移動し封止材２１を圧縮しながらビス５による連結が図られる。
【００３５】
かかる連結は、上枠材１と左縦枠材３との間でも行われる。さらに、望ましくは、下枠材２と左右縦枠材３，４と同様に連結する。
【００３６】
かくして枠組みしたサッシは前述のように躯体に固定される。
【００３７】
ここで、隣接する固定片１Ｂ，２Ｂ，３Ｂ，４Ｂの角部は、そのままでは空いてしまい、窓枠と外壁材との間にシール３１を施工ときに、シールが不十分となるので、望ましくは、隣接する固定片１Ｂ，２Ｂ，３Ｂ，４Ｂの室外側面において、それらに跨って、ゴム、プラスチック、金属板などのコーナープレート３０を当てて、シール材のバックアップに利用するのが望ましい。
【００３８】
【発明の効果】
以上のとおり、本発明によれば、組み立て枠組みが容易なものとなり、さらに縦枠端部の気水密性を併せて図ることにある。また、デザインの要求から見込み寸法を小さくしながらデザイン性を高め、ビス固定が１箇所で十分な枠組み構造とすることができるなどの利点がある。
【図面の簡単な説明】
【図１】サッシの縦断面図である。
【図２】サッシの水平断面図である。
【図３】サッシ枠組み状態の室内側からの視図である。
【図４】連結部分の室内側からの視図である。
【図５】連結部分のビス止め過程の室内側からの視図である。
【図６】連結部分のビス止め完了直前過程の室内側からの視図である。
【符号の説明】
１…上（横）枠材、２…下（横）枠材、３…左縦枠材、４…右縦枠材、１Ａ，２Ａ，３Ａ，４Ａ…本体壁、１Ｂ，２Ｂ，３Ｂ，４Ｂ…固定片、１Ｈ，２Ｈ，３Ｈ，４Ｈ…中空部、１ａ，２ａ，３ａ，４ａ…中央片、１ｂ，２ｂ，３ｂ，４ｂ…室内片、１ｃ，２ｃ，３ｃ，４ｃ…繋ぎ片、１Ｈ，２Ｈ，３Ｈ，４Ｈ…中空部、５…ビス、６Ａ，６Ｂ…躯体、９…押縁、２０…シール手段、２１…封止材。
【図１】
2005016097.tif 000003
【図２】
2005016097.tif 000004
【図３】
2005016097.tif 000005
【図４】
2005016097.tif 000006
【図５】
2005016097.tif 000007
【図６】
2005016097.tif 000008
【手続補正書】
【提出日】平成15年9月16日(2003.9.16)
【手続補正１】
【補正対象書類名】図面
【補正対象項目名】図３
【補正方法】変更
【補正の内容】
【図３】
2005016097.tif 000009